(57)【特許請求の範囲】
【請求項１】
受信した放送信号に応じた放送番組及びＷｅｂコンテンツを表示装置に表示させる受信機であって、
放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するコンテンツ取得部と、
取得した前記Ｗｅｂコンテンツを経由して取得されるＷｅｂコンテンツを表示するか否かを判定するとともに、取得した前記Ｗｅｂコンテンツに含まれる広告情報を表示するか否かを判定する判定部と、
前記選択チャンネルに対応する前記放送番組を前記表示装置の第１領域に表示し、前記判定部により表示すると判定されたＷｅｂコンテンツを前記表示装置の前記第１領域とは異なる第２領域に表示し、前記判定部により、当該Ｗｅｂコンテンツに含まれる前記広告情報を表示しないと判定されると、当該Ｗｅｂコンテンツにおける当該広告情報の表示領域に対して、当該広告情報の代わりに前記放送番組に対応付けられている広告情報を表示する表示制御部と、
を備える受信機。
【請求項２】
放送番組に関連付けて、当該放送番組と共に表示することを許可するＷｅｂコンテンツ、又は表示することを許可しないＷｅｂコンテンツのリスト情報を記憶する記憶部、を更に備え、
前記判定部は、前記リスト情報を参照して、前記Ｗｅｂコンテンツを表示するか否かを判定する、
請求項１に記載の受信機。
【請求項３】
前記選択チャンネルを受け付けると、当該選択チャンネル又は前記放送番組に対応する前記リスト情報をサーバから取得するリスト取得部、
を更に備える請求項２に記載の受信機。
【請求項４】
所定のタイミングになると、複数のチャンネル又は複数の放送番組に対応する複数の前記リスト情報をサーバから取得するリスト取得部、を更に備え、
前記判定部は、前記選択チャンネルを受け付けると、前記複数のリスト情報の中から、当該選択チャンネル又は前記放送番組に対応するリスト情報を読み出し、当該リスト情報に基づいて、前記判定を行う、
請求項２に記載の受信機。
【請求項５】
前記リスト情報は、前記受信機に所定のプログラムをインストールするＷｅｂコンテンツを、表示することを許可しないＷｅｂコンテンツとして規定する、
請求項２から４の何れか１項に記載の受信機。
【請求項６】
受信した放送信号に応じた放送番組及びＷｅｂコンテンツを表示装置に表示させる表示方法であって、
放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するステップと、
取得した前記Ｗｅｂコンテンツを経由して取得されるＷｅｂコンテンツを表示するか否かを判定するとともに、取得した前記Ｗｅｂコンテンツに含まれる広告情報を表示するか否かを判定するステップと、
前記選択チャンネルに対応する前記放送番組を前記表示装置の第１領域に表示し、前記判定するステップにより表示すると判定されたＷｅｂコンテンツを前記表示装置の前記第１領域とは異なる第２領域に表示し、前記判定するステップにより、当該Ｗｅｂコンテンツに含まれる広告情報を表示しないと判定されると、当該Ｗｅｂコンテンツにおける当該広告情報の表示領域に対して、当該広告情報の代わりに前記放送番組に対応付けられている広告情報を表示するステップと、
を含む表示方法。
【請求項７】
受信した放送信号に応じた放送番組及びＷｅｂコンテンツを表示装置に表示させる受信機を、
放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するコンテンツ取得部、
取得した前記Ｗｅｂコンテンツを経由して取得されるＷｅｂコンテンツを表示するか否かを判定するとともに、取得した前記Ｗｅｂコンテンツに含まれる広告情報を表示するか否かを判定する判定部、
前記選択チャンネルに対応する前記放送番組を前記表示装置の第１領域に表示し、前記判定部により表示すると判定されたＷｅｂコンテンツを前記表示装置の前記第１領域とは異なる第２領域に表示し、前記判定部により、当該Ｗｅｂコンテンツに含まれる広告情報を表示しないと判定されると、当該Ｗｅｂコンテンツにおける当該広告情報の表示領域に対して、当該広告情報の代わりに前記放送番組に対応付けられている広告情報を表示する表示制御部、
として機能させるプログラム。
【発明の詳細な説明】
【技術分野】
【０００１】
本発明は、放送番組と共にＷｅｂコンテンツを表示する受信機、表示方法及びプログラムに関する。
【背景技術】
【０００２】
デジタル放送の普及に伴い放送と通信との融合が実現され、近年では、非特許文献１に定められるハイブリッドキャスト（登録商標）と呼ばれるサービスが提供されている。ハイブリッドキャストでは、放送の特徴である同報性と、通信の特徴である個別対応性との双方を満たしたサービスを提供することができる。
【０００３】
具体的には、ハイブリッドキャストでは、放送信号に基づくテレビ番組と、このテレビ番組に関連するハイブリッドキャスト用のＷｅｂコンテンツとを合成してテレビ等の受信機に表示することで、例えば、ＴＶ番組だけでは足りない個別の情報をＷｅｂコンテンツで補完等する。
【先行技術文献】
【非特許文献】
【０００４】
【非特許文献１】ＩＰＴＶＦＪ  ＳＴＤ−００１０  １．０版“ＩＰＴＶ規定  放送通信連携システム仕様”
【発明の概要】
【発明が解決しようとする課題】
【０００５】
ところで、放送番組とＷｅｂコンテンツを連携する場合、連携による統一感を維持するために、表示するＷｅｂコンテンツの範囲を制御する必要がある。この点、Ｗｅｂコンテンツは、通常、設定されたハイパーリンクに従い他のＷｅｂコンテンツに遷移することができてしまうため、Ｗｅｂコンテンツの遷移を自由に認めてしまうと、放送番組に対して好ましくないＷｅｂコンテンツが放送番組と共に表示されてしまうおそれがある。
【０００６】
本発明は、このような問題に鑑みてなされたものであり、好ましくないＷｅｂコンテンツが放送番組と共に表示されることを防止する受信機、表示方法及びプログラムを提供することを目的とする。
【課題を解決するための手段】
【０００７】
本発明の第１の態様においては、受信した放送信号に応じた放送番組及びＷｅｂコンテンツを表示装置に表示させる受信機であって、放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するコンテンツ取得部と、取得した前記Ｗｅｂコンテンツを経由して取得されるＷｅｂコンテンツを表示するか否かを判定する判定部と、前記選択チャンネルに対応する前記放送番組を前記表示装置の第１領域に表示し、前記判定部により表示すると判定されたＷｅｂコンテンツを前記表示装置の前記第１領域とは異なる第２領域に表示する表示制御部と、を備える受信機を提供する。
【０００８】
また、放送番組に関連付けて、当該放送番組と共に表示することを許可するＷｅｂコンテンツ、又は表示することを許可しないＷｅｂコンテンツのリスト情報を記憶する記憶部、を更に備え、前記判定部は、前記リスト情報を参照して、前記Ｗｅｂコンテンツを表示するか否かを判定することとしてもよい。
【０００９】
また、前記選択チャンネルを受け付けると、当該選択チャンネル又は前記放送番組に対応する前記リスト情報をサーバから取得するリスト取得部を更に備えることとしてもよい。
【００１０】
また、所定のタイミングになると、複数のチャンネル又は複数の放送番組に対応する複数の前記リスト情報をサーバから取得するリスト取得部、を更に備え、前記判定部は、前記選択チャンネルを受け付けると、前記複数のリスト情報の中から、当該選択チャンネル又は前記放送番組に対応するリスト情報を読み出し、当該リスト情報に基づいて、前記判定を行うこととしてもよい。
【００１１】
また、前記リスト情報は、前記受信機に所定のプログラムをインストールするＷｅｂコンテンツを、表示することを許可しないＷｅｂコンテンツとして規定することとしてもよい。
【００１２】
また、前記判定部は、Ｗｅｂコンテンツに含まれる広告情報についても表示するか否かを判定し、前記表示制御部は、前記判定部が、Ｗｅｂコンテンツは表示すると判定し、当該Ｗｅｂコンテンツに含まれる広告情報は表示しないと判定した場合、少なくとも前記広告情報を前記第２領域に表示しないこととしてもよい。
【００１３】
本発明の第２の態様においては、受信した放送信号に応じた放送番組及びＷｅｂコンテンツを表示装置に表示させる表示方法であって、放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するステップと、取得した前記Ｗｅｂコンテンツを経由して取得されるＷｅｂコンテンツを表示するか否かを判定するステップと、前記選択チャンネルに対応する前記放送番組を前記表示装置の第１領域に表示し、前記判定するステップにより表示すると判定されたＷｅｂコンテンツを前記表示装置の前記第１領域とは異なる第２領域に表示するステップと、を含む表示方法を提供する。
【００１４】
本発明の第３の態様においては、受信した放送信号に応じた放送番組及びＷｅｂコンテンツを表示装置に表示させる受信機を、放送番組の複数のチャンネルのうち選択されたチャンネル番号を示す選択チャンネルを受け付けると、当該選択チャンネル又は当該選択チャンネルに応じた放送番組に対応付けられたＷｅｂコンテンツを取得するコンテンツ取得部、取得した前記Ｗｅｂコンテンツを経由して取得されるＷｅｂコンテンツを表示するか否かを判定する判定部、前記選択チャンネルに対応する前記放送番組を前記表示装置の第１領域に表示し、前記判定部により表示すると判定されたＷｅｂコンテンツを前記表示装置の前記第１領域とは異なる第２領域に表示する表示制御部、として機能させるプログラムを提供する。
【発明の効果】
【００１５】
本発明によれば、好ましくないＷｅｂコンテンツが放送番組と共に表示されることを防止することができる。
【図面の簡単な説明】
【００１６】
【図１】本発明の受信機を備える連携システムの概要を示す図である。
【図２】連携システムの好適なシステム態様例を示す図である。
【図３】管理サーバ及び受信機の機能構成を示すブロック図である。
【図４】管理サーバの記憶部に記憶される情報の一部を示す図である。
【図５】受信機の表示部の構成を示す図である。
【図６】受信機の表示部の構成を示す図である。
【図７】受信機の表示部の構成を示す図である。
【図８】受信機の表示部の構成を示す図である。
【図９】受信機の制御部が基本機能を発揮する際の構成を示す図である。
【図１０】受信機の制御部が基本機能を発揮する際の処理の流れを示す図である。
【図１１】受信機の表示部に表示される表示画面の一例を示す図である。
【図１２】受信機の制御部が調整機能を発揮する際の構成を示す図である。
【図１３】受信機の制御部が調整機能を発揮する際の処理の流れを示す図である。
【図１４】受信機の表示部に表示される表示画面の一例を示す図である。
【図１５】受信機の制御部が追加機能を発揮する際の構成を示す図である。
【図１６】受信機の制御部が追加機能を発揮する際の処理の流れを示す図である。
【図１７】受信機の制御部が追加機能を発揮する際の構成を示す図である。
【図１８】受信機の表示部に表示される表示画面の一例を示す図である。
【発明を実施するための形態】
【００１７】
［連携システムＳの概要］
初めに、図１を参照して、本発明の受信機１を備える連携システムＳの概要について説明する。図１に示すように、連携システムＳは、受信機１と、管理サーバ２と、配信サーバ３と、コンテンツサーバ４とを含んで構成される。
【００１８】
受信機１は、配信サーバ３から伝送される放送信号を受信して視聴可能な信号に変換するセットトップボックスである。受信機１は、表示装置と一体型のセットトップボックスであってもよく、また、表示装置とは別体に設けられたセットトップボックスであってもよい。本実施形態では、説明を簡易にするため、表示装置とセットトップボックスとが一体となった受信機１を例にとり説明する。
受信機１は、インターネット、ケーブル網等のネットワークを介して外部機器と通信可能に接続される。本実施形態では、受信機１は、管理サーバ２、配信サーバ３及びコンテンツサーバ４と通信可能に接続される。
【００１９】
管理サーバ２は、連携システムＳにおけるサービス（放送と通信との連携サービス）を統括するサーバである。管理サーバ２は、ネットワークを介してコンテンツサーバ４と通信可能に接続され、コンテンツサーバ４からサービス内で視聴可能な放送番組又は当該放送番組に応じたチャンネルに対応するＷｅｂコンテンツの登録を受け付ける。登録したチャンネル−Ｗｅｂコンテンツの対応関係は、受信機１に提供される。
受信機１では、この対応関係を参照して、視聴中の放送番組に対応付けられたＷｅｂコンテンツを把握し、当該Ｗｅｂコンテンツをコンテンツサーバ４から取得することになる。
【００２０】
配信サーバ３は、放送信号を配信する配信事業者により管理され、放送設備を用いて放送番組に応じた放送信号を伝送する。放送設備は、ケーブルテレビ放送又はＩＰテレビ放送用の放送設備であり、放送信号を光ケーブル等を介して伝送する。
【００２１】
コンテンツサーバ４は、放送番組と共に受信機１に表示するＷｅｂコンテンツを提供するサーバであり、サービス内で利用可能なチャンネルに応じた放送番組を供給する番組供給者の夫々が管理する各チャンネル用のコンテンツサーバ４と、放送番組に応じた放送信号を配信する配信事業者が管理する配信事業者用のコンテンツサーバ４とを含んで構成される。
一例として、連携システムＳをケーブルテレビシステムに適用した場合、各ケーブルテレビ局が配信事業者に相当し、また、当該ケーブルテレビ局において利用可能な夫々のチャンネルに応じた放送番組を提供する放送局が番組供給者に相当する。
【００２２】
以上の構成の連携システムＳでは、受信機１において放送番組を視聴中に、視聴中の放送番組（チャンネル）に対応付けられたＷｅｂコンテンツも同時に提供する。具体的には、図１に示すように、受信機１では、表示領域の一部に放送番組を表示し、他の部分に第１コンテンツ及び第２コンテンツといったＷｅｂコンテンツを表示する。
【００２３】
なお、第１コンテンツは、チャンネル用のコンテンツサーバ４から提供されるＷｅｂコンテンツであり、第２コンテンツは、配信サーバ用のコンテンツサーバ４から提供されるＷｅｂコンテンツである。即ち、連携システムＳでは、受信機１を用いるユーザが、受信機１においてあるチャンネルの放送番組を視聴している場合に、当該チャンネルに対応するＷｅｂコンテンツが第１コンテンツとして提供され、また、当該放送番組を提供する配信事業者に応じたＷｅｂコンテンツが第２コンテンツとして提供される。
【００２４】
具体的には、受信機１は、管理サーバ２から取得した対応関係（チャンネル−Ｗｅｂコンテンツ）に基づいて、視聴中の放送番組に応じたチャンネル用のコンテンツサーバ４を把握し、当該コンテンツサーバ４から第１コンテンツを取得する。また、自身が契約を結んでいる配信事業者から、当該配信事業者に応じたコンテンツサーバ４を把握し、当該コンテンツサーバ４から第２コンテンツを取得する。
【００２５】
以上のように連携システムＳでは、受信機１を用いるユーザに対して放送と通信との連携サービスを提供する。この連携サービスにおいて、受信機１は、アプリケーションプログラムを実行することで放送番組に対応するＷｅｂコンテンツを取得することとしており、ハイブリッドキャスト放送のように専用の受信機でなくても、連携サービスを受けることができる。
以下、本発明の受信機１を含む連携システムＳの詳細について説明する。
【００２６】
［連携システムＳのシステム態様例］
以上のような連携システムＳの好適なシステム態様例を図２に示す。図２は、連携システムＳのシステム態様の一例を示す図である。図２に示すように、本発明の連携システムＳは、例えば、ケーブルテレビシステムにおいて好適に利用することができる。
【００２７】
ケーブルテレビシステムでは、ケーブルテレビ局と各ユーザ宅とを光ケーブルや同軸ケーブル等で接続し、ケーブルテレビ局が番組供給者（放送局）から伝送される放送波を受信し各ユーザ宅に配信することで、ユーザは放送番組を視聴する。ここで、ケーブルテレビ局と各ユーザ宅とを接続する光ケーブルにより形成されるネットワーク網をケーブル網と呼ぶ。
ケーブルテレビシステムでは、通常、テレビ放送の他にインターネット接続や電話等も含む複合的なサービスが提供されている。ケーブルテレビシステムにおけるインターネット接続は、ケーブル網から出てインターネットにアクセスすることで行われる。
【００２８】
本発明の連携システムＳをこのようなケーブルテレビシステムに適用する場合、受信機１は、ユーザ宅に設けられたテレビ受信機に相当し、各ケーブルテレビ局が配信サーバ３を管理する配信事業者に相当する。例えば、ユーザ宅Ａの受信機１は、配信事業者「ケーブル局Ａ」から放送番組の配信を受け、ユーザ宅Ｃの受信機１は、配信事業者「ケーブル局Ｂ」から放送番組の配信を受けることになる。
【００２９】
また、管理サーバ２及び各チャンネル用のコンテンツサーバ４は、インターネット上のサーバであり、ケーブル網の外側に設置される。他方、配信事業者用のコンテンツサーバは、配信事業者（ケーブルテレビ局）自身が管理するため、ケーブル網の内側に設置することとしてもよく、また、ケーブル網の外側に設置することとしてもよい。
【００３０】
以上、連携システムＳのシステム態様の一例を図２に示した。なお、図２に示す態様例は一例に過ぎず、本発明の連携システムＳは、ケーブルテレビシステム以外のテレビシステム、即ち、電波を利用して放送番組を提供する通常のテレビ放送や、インターネットを介して放送番組を提供するＩＰ放送等のテレビシステムに対しても適用することができる。
【００３１】
［受信機１及び管理サーバ２の機能構成］
続いて、図３から図８を参照して、本発明の連携システムＳを構成する受信機１及び管理サーバ２の基本的な構成について説明する。図３（Ａ）は、管理サーバ２の機能構成を示すブロック図であり、図３（Ｂ）は、受信機１の機能構成を示すブロック図である。
【００３２】
図３（Ａ）に示すように、管理サーバ２は、記憶部２１と、通信部２２と、制御部２３とを含んで構成される。
記憶部２１は、例えば、ＲＯＭ及びＲＡＭ等により構成される。記憶部２１は、管理サーバ２を機能させるための各種プログラムや各種情報を記憶する。ここで、記憶部２１に記憶される情報の一部を図４に示す。図４（Ａ）に示すように、記憶部２１は、配信事業者毎に事業者ＵＲＬ、対応関係及び初期チャンネル等に関する各種情報を記憶する。
【００３３】
事業者ＵＲＬは、配信事業者用のコンテンツサーバ４の所在を示す所在情報である。図４に示す例では、ケーブル局Ａが管理するコンテンツサーバ４の所在は事業者ＵＲＬ「ＵＲＬ１」であり、ケーブル局Ｂが管理するコンテンツサーバ４の所在は事業者ＵＲＬ「ＵＲＬ２」であることが分かる。後述するように、受信機１は、事業者ＵＲＬを用いて第２コンテンツ（図１参照）を取得することになる。
【００３４】
対応関係は、連携システムＳにおいて連携するチャンネルとＷｅｂコンテンツとを規定する情報であり、利用可能チャンネルと当該チャンネルに対応するＷｅｂコンテンツの所在を示す所在情報（ＣＨ＿ＵＲＬ）とを含む。ここで、受信機１に配信される放送番組は、配信事業者によって異なる。利用可能チャンネルは、連携システムＳにおける連携サービスを利用可能なチャンネル番号を、配信事業者毎に規定する情報である。図４に示す例では、ケーブル局Ａでは「１ＣＨ，２ＣＨ，３ＣＨ・・・」が利用可能である一方で、ケーブル局Ｂでは「２ＣＨ，３ＣＨ・・・」が利用可能であることが分かる。後述するように、受信機１は、チャンネル−Ｗｅｂコンテンツの対応関係を用いて、視聴中の放送番組と連携する第１コンテンツ（図１参照）を取得することになる。
【００３５】
なお、通常、チャンネルに応じた放送番組は、チャンネルが同一であっても放送時間帯によって異なるため、放送番組とＷｅｂコンテンツとを連携させる場合には、各チャンネルではなく放送番組（放送時間帯）毎にＷｅｂコンテンツとの対応関係を設定する必要がある。この点、図４（Ａ）では図示を簡略化して、一のチャンネルに対して共通のＵＲＬを対応付けているが、実際には、記憶部２１は、一のチャンネルに対して時間帯毎に夫々異なるＵＲＬを記憶する（即ち、放送番組毎に対応するＷｅｂコンテンツのＵＲＬを記憶する）。
また、後述するように、連携システムＳでは、放送番組とＷｅｂコンテンツとを１対複数の関係で連携させている。そのため、記憶部２１は、放送番組毎に複数のＵＲＬを対応付けて記憶する。
【００３６】
初期チャンネルは、連携システムＳを実現するためのアプリケーション起動時に選択されるチャンネル番号を示す情報である。図４（Ａ）に示すように、初期チャンネルは、配信事業者毎に設定され、また、一定期間（１週間）毎に異なるチャンネルが設定される。連携システムＳでは、受信機１においてアプリケーションが起動された際の初期チャンネルを設定することで、当該チャンネルに応じた放送番組に受信機１のユーザを誘導する。
図４（Ａ）に示す例では、ケーブル局Ａから放送番組の配信を受ける受信機１において上述のアプリケーションが起動されると、起動時に、４月１週目は「１ＣＨ」に応じた放送番組等が表示され、４月２週目は「２ＣＨ」に応じた放送番組等が表示されることになる。
【００３７】
また、図４（Ｂ）に示すように、記憶部２１は、番組供給者毎に当該番組供給者の放送番組を紹介する紹介情報を記憶する。連携システムＳでは、利用可能なチャンネルを配信事業者毎に規定するところ、これらチャンネルの中には特別な契約を行うことで視聴可能なチャンネルも含まれる。そのため、受信機１（ユーザ）の契約内容によっては、番組供給者毎に規定された利用可能なチャンネルであっても、受信機１において視聴できない場合がある。紹介情報は、視聴できないユーザに対して当該チャンネルを紹介するための動画、音声又はテキスト情報である。記憶部２１は、紹介情報として、動画情報等自体を記憶することとしてもよく、また、当該紹介情報の所在を示す所在情報（ＵＲＬ）を記憶することとしてもよい。
なお、上述の初期チャンネルは、このような特別な契約を行わなければ視聴できないチャンネルを避けて設定されることが好ましい。
【００３８】
図４に示すこれらの情報は、番組供給者（放送局）及び配信事業者（ケーブルテレビ局）から受け付けた登録操作に伴い管理サーバ２の記憶部２１に記憶される。
【００３９】
図３（Ａ）に戻り、通信部２２は、所定の通信回線を介して外部機器と接続され、外部機器との間で所定の通信を行う。一例として、通信部２２は、ケーブル網やインターネットを介して受信機１、番組供給者及び配信事業者と通信可能に接続される。
制御部２３は、例えば、ＣＰＵにより構成される。制御部２３は、記憶部２１に記憶されている各種プログラムを実行することにより、管理サーバ２に係る機能を統括的に制御する。例えば、制御部２３は、通信部２２を介して、番組供給者及び配信事業者から上述したＵＲＬ等の登録を受け付け、当該情報を必要に応じて受信機１に対して提供する。
【００４０】
続いて、図３（Ｂ）に示すように、受信機１は、記憶部１１と、表示部１２と、操作部１３と、通信部１４と、制御部１５とを含んで構成される。
記憶部１１は、例えば、ＲＯＭ及びＲＡＭ等により構成される。記憶部１１は、受信機１を機能させるための各種プログラムや各種情報を記憶する。例えば、記憶部１１は、連携システムＳが提供する連携サービスを実現するためのアプリケーションプログラムを記憶する。また、記憶部１１は、管理サーバ２やコンテンツサーバ４から取得した各種情報を記憶する。
【００４１】
表示部１２は、液晶ディスプレイや有機ＥＬ（Electro-Luminescence）ディスプレイ等により構成され、制御部１５の制御に基づいて、放送番組やＷｅｂコンテンツを表示する。
操作部１３は、例えば、ボタンや、表示部１２に重畳して配置される接触センサ等により構成されており、受信機１のユーザから操作入力を受け付ける。本実施形態の場合、チャンネルの選択等に用いられるテレビ用のリモコンが操作部１３に相当する。
【００４２】
通信部１４は、所定の通信回線を介して外部機器と接続され、外部機器との間で所定の通信を行う。一例として、通信部１４は、放送網やケーブル網を介して配信サーバ３から伝送される放送信号を受信する。また、通信部１４は、ケーブル網やインターネットを介して管理サーバ２及びコンテンツサーバ４と通信可能に接続され、管理サーバ２から上述した対応関係等の各情報を受信し、コンテンツサーバ４からＷｅｂコンテンツを受信する。
【００４３】
制御部１５は、例えば、ＣＰＵにより構成される。制御部１５は、記憶部１１に記憶されている上述のアプリケーションプログラムに従い、基本機能１５１、調整機能１５２、追加機能１５３及び追加機能１５４を含む各種機能を発揮し、放送番組とＷｅｂコンテンツとを連携する連携サービスを実現する。
【００４４】
基本機能１５１は、連携サービスを実現するための基本的な機能である。放送番組とＷｅｂコンテンツとを連携する場合、受信機１において、放送番組と連携させるＷｅｂコンテンツを特定する必要がある。ハイブリッドキャスト放送では、受信機１において、放送信号を解析してＡＩＴを読み出すことで、当該Ｗｅｂコンテンツを特定することとしているが、放送信号を解析する必要があるため、専用の受信機でしか連携サービスを享受できない。
この点、基本機能１５１は、ネットワークを介して管理サーバ２にアクセスすることで、必要な情報を取得する機能であり、ネットワーク対応の受信機であれば発揮できる機能である。
【００４５】
調整機能１５２は、放送番組とＷｅｂコンテンツとを表示部１２に同時に表示する場合に、放送番組のサイズとＷｅｂコンテンツのサイズとを調整する機能である。また、追加機能１５３，１５４は、基本機能１５１と共に発揮されることで、連携サービスを享受するユーザ（受信機１）及び連携サービスを提供する番組供給者（放送局）等の利益を更に向上させる機能である。
これら基本機能１５１、調整機能１５２及び追加機能１５３，１５４の詳細については、後述する。
【００４６】
［受信機１の表示部１２の構成］
続いて、図５〜図８を参照して、受信機１の表示部１２（即ち、本発明の「表示装置」）の構成について説明する。
上述のアプリケーションが実行されると、当該アプリケーションに基づき制御されるブラウザ１２０により表示部１２に表示される表示画面が構成される。図５（Ａ）に示すように、ブラウザ１２０は、表示部１２の表示領域を、第１領域１２１、第２領域１２２、第３領域１２３及び第４領域１２４を含む領域に分割する。
【００４７】
第１領域１２１は、配信サーバ３から配信される放送番組を表示する領域であり、第２領域１２２は、当該放送番組に対応付けられたＷｅｂコンテンツを表示する領域である。また、第３領域１２３は、放送信号を配信する配信事業者に応じたＷｅｂコンテンツを表示する領域であり、第４領域１２４は、連携サービスにおける操作メニュー等を表示する領域である。これら第１領域１２１乃至第４領域１２４は、夫々が重複しないように設けられる。
なお、放送番組を表示する第１領域は、表示部１２のアスペクト比と合せるために、表示部１２の全表示領域を所定割合に縮小した領域であることが好ましい。
【００４８】
また、ブラウザ１２０では、表示画面を複数のレイヤに階層化し、少なくとも第１領域１２１を第２領域１２２及び第３領域１２３よりも上位のレイヤに配置する。図５（Ｂ）に示す例の場合、表示画面を第１レイヤＬ１及び当該第１レイヤＬ１よりも下位の第２レイヤＬ２に階層化し、第１領域１２１及び第４領域１２４を第１レイヤＬ１に配置し、第２領域１２２及び第３領域１２３を第２レイヤＬ２に配置している。これにより、放送番組をＷｅｂコンテンツよりも優先して表示することができる。
なお、図５（Ｂ）では、第２レイヤＬ２に領域１２１Ａを配置している。この領域１２１Ａは、放送番組に代えて動画コンテンツを表示する場合に用いられる。受信機１において放送番組を表示する場合、第１レイヤＬ１の第１領域１２１に放送番組を表示する一方で、動画コンテンツを表示する場合には、第１領域１２１の表示を止めて、第２レイヤＬ２の領域１２１Ａに動画コンテンツを表示することがある。
【００４９】
［第２領域１２２の表示例］
続いて、図６を参照して、第２領域１２２の表示例について説明する。第２領域１２２には、ユーザが選択したチャンネルに応じて異なるＷｅｂコンテンツが表示される。より具体的には、第２領域１２２には、管理サーバ２から取得したチャンネル−Ｗｅｂコンテンツの対応関係に基づき取得されるＷｅｂコンテンツ（Ｗｅｂページ２０３又は動画紹介ページ２０４）が表示される。
第２領域１２２には、タブ２０１が設けられており、Ｗｅｂページ２０３及び動画紹介ページ２０４を切り替え可能になっている。図６（Ａ）では、タブ２０１によりＷｅｂが選択されているため、第２領域１２２にはＷｅｂページ２０３が表示され、図６（Ｂ）では、タブ２０１により動画が選択されているため、第２領域１２２には動画紹介ページ２０４が表示されている。
【００５０】
なお、放送番組を提供する番組提供者は、放送番組に対して、Ｗｅｂページ２０３及び動画紹介ページ２０４の双方を対応付けることとしてもよく、何れか一方のみを対応付けることとしてもよい。また、双方が対応付けられている放送番組については、第２領域１２２にはタブ２０１が設けられ、何れか一方のみが対応付けられている放送番組については、タブ２０１を設けないこととしてもよい。
【００５１】
図６（Ａ）に示すように、Ｗｅｂページ２０３は、タブ２０２を含み、複数（４つ）のページを切り替え可能になっている。複数のページとしては、例えば、放送番組に関連する情報を提供するメインページ、放送番組に関するコミュニケーションを図るＳＮＳページ、放送番組の特集コラムを提供するコラムページ、及び放送番組に応じたプレゼントを提供する番組プレゼントページといったページが考えられる。これら複数のページは、受信機１のリモコンに設けられた４色ボタンに対応して設けられたタブ２０２により切り替えられ、ユーザが操作したボタンに応じた色のタブに対応するページが第２領域１２２に表示される。
【００５２】
なお、第２領域１２２にＷｅｂページ２０３が表示されている状態で、当該Ｗｅｂページ２０３において設けられたハイパーリンクが選択された場合、第１領域１２１に表示中の放送番組とは独立して、当該ハイパーリンクに従い第２領域１２２の表示が切り替わる。
また、Ｗｅｂページの遷移により第２領域１２２において動画等の再生が行われる場合、当該動画に含まれる音声について任意の制御が行われる。具体的には、第１領域１２１の放送番組の音声を出力する一方で、第２領域１２２の動画の音声を出力しないこととしてもよく、また、放送番組の音声を出力しない一方で動画の音声を出力してもよく、また、双方の音声を出力することとしてもよい。また、動画の音声を出力する場合には、第１領域１２１の表示自体を止めることとしてもよい。音声出力をどのように制御するかは、チャンネル（より詳細には、放送番組）毎に設定することができ、管理サーバ２において管理される。受信機１は、管理サーバ２から設定情報を取得することで、チャンネル（放送番組）毎に所定の音声出力制御を行うことになる。
【００５３】
図６（Ｂ）に示すように、動画紹介ページ２０４には、紹介する動画の一覧が表示される。放送番組を提供する番組提供者によっては、自身の過去の放送番組を動画配信していることがあり、動画紹介ページ２０４ではこのような過去の放送番組を紹介する。動画紹介ページ２０４において、ユーザが動画を選択すると、第１領域１２１における放送番組の表示が止まり、選択された動画が第１領域１２１の背後に配置された領域１２１Ａに表示される。
【００５４】
［第３領域１２３の表示例］
続いて、図７を参照して、第３領域１２３の表示例について説明する。第３領域１２３には、受信機１（ユーザ）が契約している配信事業者（ケーブルテレビ局）に応じたＷｅｂコンテンツが表示される。言い換えると、受信機１が契約している配信事業者が同一である場合には、第３領域１２３には、選択したチャンネルに関わらず同一のＷｅｂコンテンツが表示される。
詳細については後述するが、受信機１の基本機能１５１では、アプリケーションの起動時に自身が契約している配信事業者を識別する事業者コードを用いて管理サーバ２に対してアクセスし、当該事業者コードが識別する配信事業者の事業者ＵＲＬ（図４参照）に応じたＷｅｂコンテンツを取得する。この事業者ＵＲＬに基づいて取得されたＷｅｂコンテンツが、第３領域１２３にＷｅｂページ２１１として表示される。
【００５５】
なお、このようなＷｅｂコンテンツとしては、サポート情報のような期間に関係なく提供可能な情報を紹介するＷｅｂコンテンツに加え、当該配信事業者が現在行っているキャンペーン情報やプレゼント情報等の期間限定の情報を紹介するＷｅｂコンテンツを採用することができ、第３領域１２３には、これらＷｅｂコンテンツがＷｅｂページ２１１として表示される。
【００５６】
［第４領域１２４の表示例］
続いて、図８を参照して、第４領域１２４の表示例について説明する。第４領域１２４には、連携サービスにおける操作メニュー２２１，２２２や現在視聴中のチャンネル番号等が表示される。操作メニュー２２１は、第１領域１２１（放送番組）のサイズを調整するための操作部であり、第１領域１２１と第２領域１２２との幅方向のサイズ比を調整する。また、操作メニュー２２２は、第１領域１２１に表示する放送番組のチャンネルを選択するための操作部である。図４で上述したように、連携サービスで利用可能なチャンネルは、配信事業者によって異なる。操作メニュー２２２には、受信機１（ユーザ）が契約している配信事業者において利用可能なチャンネルが選択可能に表示される。
操作メニュー２２１，２２２は、プルダウン形式の操作部であり、例えば、リモコン操作により移動するカーソルを用いて操作される。
【００５７】
［制御部１５の各機能］
続いて、制御部１５が上述のアプリケーションプログラムに従い発揮する基本機能１５１、調整機能１５２及び追加機能１５３，１５４の詳細について説明する。
【００５８】
［基本機能１５１の詳細］
図９は、制御部１５が基本機能１５１を発揮する際の構成を示す図であり、図９（Ａ）は、制御部１５及び記憶部１１の機能構成図であり、図９（Ｂ）は、記憶部１１に記憶されるＵＲＬリスト１１３の一例を示す図である。
【００５９】
図９（Ａ）に示すように、基本機能１５１では、記憶部１１は、利用可能ＣＨリスト１１１と、初期ＣＨリスト１１２と、ＵＲＬリスト１１３とを含んで構成される。利用可能ＣＨリスト１１１、初期ＣＨリスト１１２及びＵＲＬリスト１１３の夫々には、管理サーバ２から取得される情報（図４参照）が規定される。
利用可能ＣＨリスト１１１は、自身が契約している配信事業者において利用可能なチャンネル番号を記憶する。利用可能ＣＨリスト１１１に規定されたチャンネル番号が、上述した操作メニュー２２２（図８）において選択可能に表示される。初期ＣＨリスト１１２は、アプリケーション起動時に選択される初期チャンネルを記憶する。なお、アプリケーション起動時には、常に、初期ＣＨリスト１１２に規定された初期チャンネルが選択されることとしてもよく、また、週単位で最初の起動時にのみ初期チャンネルが選択され、週単位で２回目以降の場合には前回のアプリケーション終了時に選択していたチャンネル番号が選択されることとしてもよい。
【００６０】
ＵＲＬリスト１１３は、図９（Ｂ）に示すように、放送番組（チャンネル及び時間帯）に応じたＷｅｂコンテンツのＵＲＬを記憶する。なお、受信機１では、現在選択中のチャンネルのＵＲＬのみをＵＲＬリスト１１３として記憶することとしてもよく、また、選択されているか否かに関わらず利用可能なチャンネルの全てＵＲＬをＵＲＬリスト１１３として記憶することとしてもよい。同様に、受信機１では、現時刻に応じた時間帯のみのＵＲＬをＵＲＬリスト１１３として記憶することとしてもよく、また、現時刻を含む所定時間帯のＵＲＬをＵＲＬリスト１１３として記憶することとしてもよい。また、受信機１では、放送番組が切り替わる毎に（例えば、チャンネルの切り替わる毎に、又はチャンネルは切り替わらずに時間帯が変わる毎に）管理サーバ２に対してアクセスし、現在視聴中の放送番組及び当該放送番組の次に放送される一又は複数の放送番組に応じたＷｅｂコンテンツのＵＲＬを取得し、ＵＲＬリスト１１３として記憶することとしてもよい。
【００６１】
また、放送番組に応じたＷｅｂコンテンツのＵＲＬとしては、上述のように４色ボタンに応じた複数のＷｅｂコンテンツ（メインページ、ＳＮＳページ、コラムページ及び番組プレゼントページ）の夫々についてのＵＲＬを含む。なお、複数のＷｅｂコンテンツのうちの一又は全てについては、他の放送番組と共通のＷｅｂコンテンツであってもよい。一例として、メインページについては、夫々の放送番組で異ならせる一方で、番組プレゼントページ等については、番組提供者（放送局）毎に共通としてもよい。
【００６２】
図９（Ａ）に戻り、基本機能１５１では、制御部１５は、第１取得部１６１、第２取得部１６２、受付部１６３及び表示制御部１６４として機能する。
第１取得部１６１は、管理サーバ２にアクセスして当該管理サーバ２から放送番組又はチャンネルに対応するＷｅｂコンテンツのＵＲＬ等の各種情報を取得し、第２取得部１６２は、第１取得部１６１が取得した情報に基づいてコンテンツサーバ４にアクセスして当該コンテンツサーバ４からＷｅｂコンテンツを取得する。
【００６３】
基本機能１５１において、第１取得部１６１は、管理サーバ２から初期チャンネル、利用可能チャンネル、チャンネル−Ｗｅｂコンテンツの対応関係及び事業者ＵＲＬを取得する。
第１取得部１６１が初期チャンネルを取得するタイミングは、例えば、月単位で最初の起動時であり、また、利用可能チャンネル及び事業者ＵＲＬを取得するタイミングは、例えば、アプリケーションの起動時である。第１取得部１６１は、アプリケーションの起動時に受信機１が契約している配信事業者を識別する事業者コードを用いて管理サーバ２に対してアクセスして、これら情報を取得する。
【００６４】
チャンネル−Ｗｅｂコンテンツの対応関係は、アプリケーションの起動時又はチャンネルの選択時に取得する情報であり、第２領域１２２に表示するＷｅｂコンテンツの所在を示す所在情報（ＵＲＬ）である。第２領域１２２に表示するＷｅｂコンテンツは、選択しているチャンネル（及び時間帯）に応じて異なるものであるが、その所在情報は、アプリケーションの起動時に全チャンネル分取得しておくこととしてもよく、また、チャンネルの選択時に選択されたチャンネル分を取得することとしてもよい。なお、全チャンネル分取得しておく場合には、現時刻から所定時間後までの情報を取得しておき、その後定期的に更新することが好ましい。また、アプリケーションの起動時に初期チャンネルに応じた放送番組を第１領域１２１に表示する場合、第１取得部１６１は、当該初期チャンネルに応じたＷｅｂコンテンツの所在情報を管理サーバ２から取得する。
【００６５】
第２取得部１６２は、第１取得部１６１が管理サーバ２から取得した所在情報に基づいて、選択されたチャンネル又は当該チャンネルに応じた放送番組に対応付けられ第２領域１２２に表示されるＷｅｂコンテンツ、及び配信事業者に対応付けられ第３領域１２３に表示されるＷｅｂコンテンツを、各コンテンツサーバ４から取得する。
【００６６】
第２取得部１６２は、これらＷｅｂコンテンツのうちの少なくとも選択されたチャンネルに対応付けられたＷｅｂコンテンツについては、チャンネル選択時にコンテンツサーバ４から取得する。なお、当該Ｗｅｂコンテンツの所在情報は、アプリケーションの起動時に全チャンネル分、又はチャンネルの選択時に選択されたチャンネル分取得されるが、全チャンネル分取得していた場合には第２取得部１６２は、全チャンネル分の所在情報のうちの選択されたチャンネルに対応付けられた所在情報に基づいて、当該チャンネルに応じたＷｅｂコンテンツを取得する。
また、アプリケーション起動時に初期チャンネルに応じた放送番組を第１領域１２１に表示する場合、第２取得部１６２は、当該初期チャンネル及び時間帯に応じた所在情報を用いて、Ｗｅｂコンテンツをコンテンツサーバ４から取得する。
【００６７】
受付部１６３は、操作部１３（リモコン）を用いて行われた操作の内容を受け付ける。一例として、受付部１６３は、受信機１が契約している配信事業者において利用可能な複数のチャンネルの中から、受信機１のユーザが選択したチャンネル番号を示す選択チャンネルを受け付ける。
【００６８】
表示制御部１６４は、上述した操作メニュー等を第４領域１２４に表示すると共に、受付部１６３が受け付けた選択チャンネルに対応する放送番組を表示部１２の第１領域１２１に表示し、第２取得部１６２が取得した選択チャンネルに対応するＷｅｂコンテンツを表示部１２の第２領域１２２に表示し、第２取得部１６２が取得した配信事業者に対応するＷｅｂコンテンツを表示部１２の第３領域１２３に表示する。
なお、アプリケーション起動時に初期チャンネルが自動的に選択される場合、表示制御部１６４は、初期チャンネルに対応する放送番組を第１領域１２１に表示し、当該初期チャンネルに応じたＷｅｂコンテンツを第２領域１２２に表示する。
【００６９】
また、表示制御部１６４は、選択チャンネルに応じた放送番組を受信機１の契約内容では表示できない場合、当該放送番組を第１領域１２１に表示することなく、選択チャンネルを紹介する紹介情報（図４（Ｂ）参照）を、第１領域１２１、第２領域１２２及び第３領域１２３の何れかに表示する。
具体的には、受信機１では、選択チャンネルと自身の契約内容とを比較し、選択チャネルが契約範囲内であるか否かを判定する。このとき、契約範囲内である場合には、表示制御部１６４は、選択チャンネルに応じた放送番組を第１領域１２１に表示する一方で、契約範囲外である場合には、第１取得部１６１が管理サーバ２から紹介情報を取得（管理サーバ２において紹介情報のＵＲＬのみを保持している場合には、第２取得部１６２が当該ＵＲＬに従い取得）し、表示制御部１６４が当該紹介情報を第１領域１２１乃至第３領域１２３に表示する。なお、選択チャンネルが契約範囲内であるか否かの判定は、受信機１ではなく、サーバ側（管理サーバ２又は配信サーバ３）で行うこととしてもよい。
【００７０】
［連携システムＳの処理］
以上、基本機能１５１を発揮する際の受信機１の構成について説明した。続いて、図１０を参照して、連携システムＳの基本的な処理について説明する。
図１０に示すように、初めに、ステップＳ１において、配信事業者及び番組供給者は、管理サーバ２に対して各種情報の登録を行う。具体的には、配信事業者は、連携システムＳにおいて利用可能なチャンネル、初期チャンネル及び事業者ＵＲＬ等を管理サーバ２に対して登録し、また、番組供給者は、自身が供給するチャンネルとＷｅｂコンテンツとの対応関係、及び紹介情報等を管理サーバ２に対して登録する。
【００７１】
続いて、ステップＳ２において、受信機１において上述のアプリケーションが起動すると、ステップＳ３において、第１取得部１６１は、自身が契約している配信事業者を識別する事業者コードを用いて管理サーバ２に対してアクセスし、当該配信事業者に対応付けられた各種情報（利用可能チャンネル、初期チャンネル、事業者ＵＲＬ及び対応関係等）を管理サーバ２から取得する。取得した各種情報は、受信機１の記憶部１１に、利用可能ＣＨリスト１１１、初期ＣＨリスト１１２及びＵＲＬリスト１１３等として記憶される。
【００７２】
続いて、ステップＳ４では、受信機１において記憶部１１から初期チャンネルを読み出すと、続くステップＳ５において、受信機１は、当該チャンネルに応じた放送信号を配信サーバ３から受信し復号する。続いて、ステップＳ６において、受信機１の第２取得部１６２は、ステップＳ３で取得したチャンネルとＷｅｂコンテンツとの対応関係に基づいて、コンテンツサーバ４にアクセスし、選択されたチャンネルに応じたＷｅｂコンテンツを取得する。また、ステップＳ６において、受信機１の第２取得部１６２は、ステップＳ３で取得した事業者ＵＲＬに基づいてコンテンツサーバ４にアクセスし、配信事業者に応じたＷｅｂコンテンツを取得する。
【００７３】
ステップＳ５，ステップＳ６において放送番組及びＷｅｂコンテンツを取得すると、続いて、ステップＳ７において、受信機１の表示制御部１６４は、放送番組を第１領域１２１に表示し、チャンネルに応じたＷｅｂコンテンツを第２領域１２２に表示し、配信事業者に応じたＷｅｂコンテンツを第３領域１２３に表示する。
【００７４】
続いて、ステップＳ８において、受信機１では、第２領域１２２においてＷｅｂページを遷移する操作（ハイパーリンクの選択）が行われたか否かを判定する。この判定がＹＥＳのときは、処理をステップＳ６に移し、第２取得部１６２がハイパーリンク先のＷｅｂコンテンツを取得し表示する一方で、この判定がＮＯのときは、受信機１は、処理をステップＳ９に移す。
【００７５】
ステップＳ９では、受信機１は、チャンネルが他のチャンネルに切り替えられたか否かを判定する。この判定がＹＥＳのときは、受信機１は、処理をステップＳ１１に移す一方で、この判定がＮＯのときは、受信機１は、処理を終了する。ステップＳ１１では、受信機１の表示制御部１６４は、選択されたチャンネルが現在の契約内容から視聴可能なチャンネルであるか否かを判定する。この判定がＹＥＳのときは、処理をステップＳ５に移し、受信機１は、当該チャンネルに応じた放送番組を受信し表示する。他方、この判定がＮＯのときは、受信機１は、処理をステップＳ１２に移す。
【００７６】
ステップＳ１２では、受信機１の第１取得部１６１は管理サーバ２にアクセスし、選択されたチャンネルを紹介する紹介情報を管理サーバ２（又はコンテンツサーバ４）から取得する。続いて、ステップＳ１３において、受信機１の表示制御部１６４は、取得した紹介情報を第１領域１２１乃至第３領域１２３に表示する。
【００７７】
［基本機能１５１に伴う効果］
以上、制御部１５の基本機能１５１について説明した。基本機能１５１が発揮されることで、受信機１の表示部１２の第１領域１２１に放送番組が表示され、第２領域１２２に当該放送番組に対応するＷｅｂコンテンツが表示されるため、受信機１において放送と通信とを連携する連携サービスを享受することができる。このとき、放送番組と連携するＷｅｂコンテンツは、第１取得部１６１が管理サーバ２から取得したＵＲＬに基づいて取得される。より具体的には、第１取得部１６１は、所定のタイミングで管理サーバ２にアクセスして、当該管理サーバ２から選択されたチャンネルに対応付けられたＷｅｂコンテンツのＵＲＬを取得する。
このように受信機１では、放送番組と連携するＷｅｂコンテンツを管理サーバ２との間の通信に基づき取得するため、管理サーバ２に対してアクセス可能なネットワーク機能を有していれば放送と通信とを連携する連携サービスを享受でき、放送信号からＡＩＴを読み出すといった専用の機能を有する必要がない。
【００７８】
また、基本機能１５１では、連携サービスを利用可能なチャンネルを予め設定しておき、当該チャンネルの中から一のチャンネルを選択可能にしている。これにより、放送番組とＷｅｂコンテンツとの対応関係が設定されていないチャンネルが選択されることがないため、連携サービスを利用可能なチャンネルと利用不可能なチャンネルとが混在することを防止できる。
なお、利用可能なチャンネルの視聴に特別な契約が必要になる場合には、当該チャンネルを紹介する紹介情報を表示するため、受信機１のユーザが視聴を望む場合に契約にかかる手間を軽減することができる。
【００７９】
また、基本機能１５１では、利用可能なチャンネルの中から初期チャンネルを設定しておき、アプリケーション起動時に初期チャンネルに応じた放送番組及びＷｅｂコンテンツを表示する。これにより、連携サービスを提供する各番組供給者に対してユーザを誘導することができ、番組供給者の積極的な参加が期待できる。
【００８０】
また、基本機能１５１では、放送番組を提供する番組提供者（放送局）だけでなく、放送信号を配信する配信事業者（ケーブルテレビ局）に応じたＷｅｂコンテンツも放送番組と共に表示する。これにより、単に放送番組に関連するＷｅｂコンテンツを表示する場合に比べ、より多様な情報を供給することができ、好適である。
【００８１】
［調整機能１５２の詳細］
続いて、制御部１５が上述のアプリケーションプログラムに従い発揮する調整機能１５２の詳細について説明する。図１１は、受信機１の表示部１２に表示される表示画面の一例を示す図である。第２領域１２２には、番組供給者が提供するＷｅｂコンテンツが表示されるところ、図１１（Ａ）に示すように番組提供者によっては当該Ｗｅｂコンテンツ内で所定の情報の入力を求めることがある。図１１（Ａ）に示す例では、会員登録用に氏名及び住所を入力する入力欄２３１が設けられている。
【００８２】
ここで、情報の入力を試みて入力欄２３１を選択すると、利用しているブラウザや受信機１のＯＳの種別によって、入力ウィンドウ２３２が所定位置（例えば、画面中央）に起動することがある。ここで、入力ウィンドウ２３２が起動する位置もブラウザやＯＳの仕様によって決まるため、受信機１によっては、図１１（Ｂ）に示すように、入力ウィンドウ２３２が放送番組を表示する第１領域１２１と重複する位置に起動してしまい、何れか一方が適切に表示されなくなってしまう。例えば、第１領域１２１を第２領域１２２よりも上位レイヤに設定していた場合には、入力ウィンドウ２３２の前面に放送番組が表示される結果、入力ウィンドウ２３２が適切に表示されず、逆に、第１領域１２１を第２領域１２２よりも下位レイヤに設定していた場合には、放送番組の前面に入力ウィンドウ２３２が表示される結果、放送番組が適切に表示されない。
【００８３】
調整機能１５２は、このようなケースを一例として好適に用いられ、入力ウィンドウ２３２が起動することを契機として、第１領域１２１（放送番組）と第２領域１２２（Ｗｅｂコンテンツ）とのサイズを自動的に調整する。具体的には、図１１（Ｃ）に示すように、調整機能１５２は、入力ウィンドウ２３２が第２領域１２２内に収まるように、第１領域１２１と第２領域１２２とのサイズを調整する。より具体的には、調整機能１５２は、第２領域１２２のサイズを大きくする一方で、第１領域１２１のサイズを小さくする。その結果、放送番組と入力ウィンドウ２３２とが重複してしまうことを防止できる。
以下、調整機能１５２を発揮するため構成の詳細について説明する。
【００８４】
図１２は、制御部１５が調整機能１５２を発揮する際の構成を示す図であり、図１２（Ａ）は、制御部１５及び記憶部１１の機能構成図であり、図１２（Ｂ）は、記憶部１１に記憶されるサイズ変更コンテンツリスト１１４の一例を示す図である。なお、調整機能１５２は、基本機能１５１に追加して発揮される機能であり、基本機能１５１と共通の構成については同一の符号を付し、詳細な説明を省略する（この点は、追加機能１５３，１５４についても同様である）。
【００８５】
図１２（Ａ）に示すように、調整機能１５２では、記憶部１１は、サイズ変更コンテンツリスト１１４を含んで構成される。サイズ変更コンテンツリスト１１４は、図１２（Ｂ）に示すように、サイズ変更が必要となるＷｅｂコンテンツの所在を示す所在情報（ＵＲＬ）が規定される。なお、サイズ変更が必要となるＷｅｂコンテンツとは、例えば、上述の入力ウィンドウ２３２が起動した後のＷｅｂコンテンツである。
番組供給者は、チャンネル−Ｗｅｂコンテンツの対応関係を登録するところ、当該Ｗｅｂコンテンツ内に入力ウィンドウ２３２を起動するＷｅｂコンテンツが含まれる場合に、その内容を管理サーバ２に登録する。受信機１では、管理サーバ２から当該内容を取得し、サイズ変更コンテンツリスト１１４として管理する。
【００８６】
ここで、入力ウィンドウ２３２が起動する位置及び当該入力ウィンドウ２３２のサイズが可変である場合には、サイズ変更コンテンツリスト１１４は、その内容も併せて規定しておくことが好ましい。なお、サイズ変更コンテンツリスト１１４に規定する内容は、起動する入力ウィンドウ２３２の位置及びサイズであってもよく、また、当該入力ウィンドウ２３２が収まるために必要なＷｅｂコンテンツ（第２領域１２２）のサイズであってもよい。
【００８７】
図１２（Ａ）に戻り、調整機能１５２では、制御部１５は、第１取得部１６１、検出部１６５、領域設定部１６６及び表示制御部１６４として機能する。
第１取得部１６１は、管理サーバ２にアクセスして当該管理サーバ２から、サイズ変更が必要となるＷｅｂコンテンツ（即ち、入力ウィンドウ２３２が起動するＷｅｂコンテンツ）の所在情報や上述のサイズ等を取得する。なお、第１取得部１６１が所在情報等を取得するタイミングは任意であり、例えば、アプリケーションの起動時であってもよく、また、チャンネルの選択時であってもよい。また、第１取得部１６１は、基本機能１５１においてチャンネル−Ｗｅｂコンテンツの対応関係を取得するタイミングで、上述の所在情報等を取得することとしてもよい。
【００８８】
検出部１６５は、第１領域１２１又は第２領域１２２のサイズを変更する変更要求を検出する。なお、変更要求としては、第２領域１２２に表示されたＷｅｂコンテンツに対する操作要求であり、所定位置に上述の入力ウィンドウ２３２を表示する所定操作要求（例えば、図１１（Ａ）において入力欄２３１を選択する操作要求）、及び当該入力ウィンドウ２３２を終了する終了要求が含まれる。もちろん、上述の操作メニュー２２１（図８参照）に対する操作に応じた操作要求も変更要求に含まれる。
ここで、所定操作要求の検出は、サイズ変更コンテンツリスト１１４に基づいて行われ、第２領域１２２においてサイズ変更コンテンツリスト１１４で規定されたＷｅｂコンテンツが選択されると、所定操作要求が検出される。また、終了要求は、サイズ変更コンテンツリスト１１４で規定されたＷｅｂコンテンツから他のＷｅｂコンテンツに遷移する要求があった場合に検出される。
【００８９】
領域設定部１６６は、表示部１２の表示領域を、夫々が重複しない第１領域１２１乃至第４領域１２４に分割すると共に、第１レイヤＬ１及び当該第１レイヤＬ１よりも下位の第２レイヤＬ２に階層化し、第１領域１２１及び第４領域１２４を第１レイヤＬ１に設定し、第２領域１２２及び第３領域１２３を第２レイヤＬ２に設定する。
また、領域設定部１６６は、検出部１６５が変更要求を検出すると、当該変更要求に応じてサイズを変更する領域に対して重複しないように、他の領域のサイズを変更する。例えば、第１領域１２１と第２領域１２２との幅方向のサイズが全表示領域に対して「５：５」の関係にある状態から、操作メニュー２２１を介して、第１領域１２１の幅方向のサイズを全表示領域に対して「７割」にする変更要求を受け付けた場合、領域設定部１６６は、第２領域１２２の幅方向のサイズが全表示領域に対して「３割」になるように、第１領域１２１及び第２領域１２２のサイズを変更する。
【００９０】
また、領域設定部１６６は、検出部１６５が入力ウィンドウ２３２を表示する上述の所定操作要求を検出すると、入力ウィンドウ２３２が第２領域１２２に含まれるように第２領域１２２のサイズを変更すると共に、サイズを変更する第２領域１２２と重複しないように第１領域１２１のサイズを変更する。また、領域設定部１６６は、検出部１６５が上述の終了要求を検出すると、第１領域１２１及び第２領域１２２のサイズを、所定操作要求を検出する前のサイズに変更する。
なお、領域設定部１６６は、サイズ変更コンテンツリスト１１４に規定されたサイズ情報に基づいて、第２領域１２２及び第１領域１２１のサイズを変更することとしてもよい。
【００９１】
このように調整機能１５２では、入力ウィンドウ２３２が起動すると第２領域１２２のサイズが広がり、入力ウィンドウ２３２が閉じると第２領域１２２のサイズが元に戻る。そして、この第２領域１２２のサイズの変更に合わせて第１領域１２１のサイズも変動する。
【００９２】
表示制御部１６４は、複数のチャンネルのうちの選択されたチャンネルに対応する放送番組を第１領域１２１に表示し、当該放送番組に対応付けられたＷｅｂコンテンツを第２領域１２２に表示する。また、表示制御部１６４は、配信事業者に対応空けられたＷｅｂコンテンツを第３領域１２３に表示し、連携サービスにおける操作メニュー２２１，２２２や現在視聴中のチャンネル番号等を第４領域１２４に表示する。
【００９３】
［連携システムＳの処理］
以上、調整機能１５２を発揮する際の受信機１の構成について説明した。続いて、図１３を参照して、調整機能１５２を発揮する際の連携システムＳの処理について説明する。
図１３に示すように、調整機能１５２を発揮する場合、基本機能１５１の処理に加えステップＳ２１乃至ステップＳ２３の処理を更に含む。具体的には、受信機１においてアプリケーションが起動すると（ステップＳ２）、受信機１の第１取得部１６１は、管理サーバ２から各種情報を取得するところ（ステップＳ３）、調整機能１５２ではステップＳ２１に示すように、第１取得部１６１は、この際にサイズ変更が必要となるＷｅｂコンテンツのＵＲＬも併せて管理サーバ２から取得し、記憶部１１のサイズ変更コンテンツリスト１１４に登録する。
【００９４】
その後、受信機１において、放送番組及びＷｅｂコンテンツを取得することになるが（ステップＳ５，ステップＳ６）、調整機能１５２ではステップＳ２２に示すように、検出部１６５は、取得したＷｅｂコンテンツのＵＲＬがサイズ変更コンテンツリスト１１４に登録されているＵＲＬであるか否かを判定する。この判定がＹＥＳのときは、ステップＳ２３において、受信機１の領域設定部１６６は、入力ウィンドウ２３２が第２領域１２２に含まれるように第２領域１２２のサイズを変更すると共に、サイズを変更する第２領域１２２と重複しないように第１領域１２１のサイズを変更する。
【００９５】
このようにして第１領域１２１及び第２領域１２２のサイズを変更した後の処理は、基本機能１５１と同様であり、続いて、ステップＳ７において、表示制御部１６４が変更したサイズの第１領域１２１及び第２領域１２２に対して放送番組及びＷｅｂコンテンツを表示し、ステップＳ８において、Ｗｅｂコンテンツの遷移があるか判定し、遷移する場合には処理をステップＳ６に戻す。
【００９６】
［調整機能１５２に伴う効果］
以上、制御部１５の調整機能１５２について説明した。調整機能１５２が発揮されることで、受信機１の表示部１２の第１領域１２１又は第２領域１２２のサイズの変更要求がなされた場合に、他方の第２領域１２２又は第１領域１２１のサイズも自動的に調整される。そのため、第１領域１２１に表示される放送番組と第２領域１２２に表示されるＷｅｂコンテンツとが重複してしまうことを防止できる。ユーザにとってみれば、放送番組の視聴及びＷｅｂコンテンツの閲覧を確実に行うことができるので、利便性を損ねることがない。また、番組供給者にとってみれば、自己の放送番組が遮られることなく表示されるため、連携サービスに参加しやすくなり、結果、多くの番組供給者が参加しやすくなり、サービス内容の充実化が期待できる。
【００９７】
特に、調整機能１５２では、第２領域１２２に表示されるＷｅｂコンテンツにおいて入力ウィンドウ２３２を起動する場合に、当該入力ウィンドウ２３２が第２領域１２２に収まるように、第２領域１２２のサイズを調整すると共に、第２領域１２２に重複しないように第１領域１２１のサイズを調整する。これにより、受信機１が用いるブラウザやＯＳの仕様に関わらず、Ｗｅｂコンテンツにおいて情報を入力する際に入力ウィンドウ２３２が放送番組と被ってしまうことを防止できる。
このとき、入力ウィンドウ２３２を起動するＷｅｂコンテンツのＵＲＬを予め登録しておくことで、第２領域１２２のサイズを調整する必要があるＷｅｂコンテンツを適切に把握することができ、好適である。
【００９８】
［追加機能１５３の詳細］
続いて、制御部１５が上述のアプリケーションプログラムに従い発揮する追加機能１５３の詳細について説明する。図１４は、受信機１の表示部１２に表示される表示画面の一例を示す図である。第２領域１２２には、番組供給者が提供するＷｅｂコンテンツが表示されるところ、Ｗｅｂコンテンツであるためハイパーリンクを介して自由に遷移することができてしまい、結果、好ましくないＷｅｂコンテンツに遷移してしまうことがある。ここで、好ましくないＷｅｂコンテンツとしては、フィッシングサイト等のような一般的に好ましくないと判断されるＷｅｂコンテンツの他、放送番組に対して好ましくないと判断されるＷｅｂコンテンツも含まれる。
【００９９】
例えば、図１４（Ａ）に示すように、第１領域１２１において、「メーカーＡ」についての特集情報を提供する放送番組が表示されている場合に、第２領域１２２において「メーカーＡ」と競合する「メーカーＢ」についてのＷｅｂコンテンツが表示されることは好ましくない。そのため、追加機能１５３では、第２領域１２２において、「メーカーＢ」についてのＷｅｂコンテンツが選択された場合、「メーカーＢ」についてのＷｅｂコンテンツが表示されないように制御する。なお、図１４（Ａ）では、「メーカーＢ」についてのＷｅｂコンテンツに遷移するハイパーリンクが選択された後に第２領域１２２に何らのＷｅｂコンテンツも表示させないこととしているが、例えば、「表示できません」といった注意情報を表示させることとしてもよく、また、そもそもＷｅｂコンテンツの遷移が行われないように制御することとしてもよい。
【０１００】
また、Ｗｅｂコンテンツ内には所定の広告が含まれることがあり、この広告が放送番組に対して好ましくない広告である場合もある。図１４（Ｂ）に示す例では、第１領域１２１において、「メーカーＡ」についての特集番組が表示されている一方で、第２領域１２２において「メーカーＡ」と競合する「メーカーＢ」についての広告２４１が含まれるＷｅｂコンテンツが表示されている。このような場合に、追加機能１５３では、Ｗｅｂコンテンツの内容は表示する一方で、当該Ｗｅｂコンテンツに含まれる広告２４１は表示しないといった制御を行う。
なお、追加機能１５３では、「メーカーＢ」についての広告の代わりに、「メーカーＡ」についての広告を表示することとしてもよい。具体的には、放送番組に対応付けてスポンサー情報（当該スポンサーの広告）を登録しておき、第１領域１２１に放送番組を表示している場合、第２領域１２２に表示される広告スペースには、登録したスポンサーの広告を表示することとしてもよい。このとき、Ｗｅｂコンテンツ内に放送番組に対して好ましくない広告が含まれる場合に限り、登録したスポンサーの広告を表示することとしてもよく、Ｗｅｂコンテンツ内の広告に関わらず、登録したスポンサーの広告を表示することとしてもよい。
【０１０１】
これにより、連携サービスにおいて放送番組に対して好ましくない情報が第２領域１２２に表示されることを防止できる。以下、追加機能１５３を発揮するため構成の詳細について説明する。
【０１０２】
図１５は、制御部１５が追加機能１５３を発揮する際の構成を示す図であり、図１５（Ａ）は、制御部１５及び記憶部１１の機能構成図であり、図１５（Ｂ）は、記憶部１１に記憶される許可／不許可コンテンツリスト１１５の一例を示す図である。
【０１０３】
図１５（Ａ）に示すように、追加機能１５３では、記憶部１１は、許可／不許可コンテンツリスト１１５を含んで構成される。許可／不許可コンテンツリスト１１５は、第２領域１２２への表示を許可するＷｅｂコンテンツの一覧を示す所謂ホワイトリスト、又は表示を不許可とするＷｅｂコンテンツの一覧を示す所謂ブラックリストである。なお、通常、放送番組はスケジュールに従って配信されるため、放送番組との関係で好ましくないＷｅｂコンテンツの種類は、時間帯によって異なることになる。例えば、あるチャンネルにおいて上述の「メーカーＡ」についての特集番組が放送されている時間帯は、「メーカーＢ」についてのＷｅｂコンテンツは好ましくないものの、その他の時間帯であれば「メーカーＢ」についてのＷｅｂコンテンツが表示されても問題ない場合もある。
そこで、許可／不許可コンテンツリスト１１５では、チャンネル及び時間帯に応じて第２領域１２２への表示を許可又は不許可とするＷｅｂコンテンツの所在情報（ＵＲＬ）を記憶する。時間帯を細かく設定することで、例えば、放送番組のスポンサーのコマーシャルが流れているタイミングに限り、当該スポンサーと競業する企業のＷｅｂコンテンツの表示を制限することもできる。
【０１０４】
また、Ｗｅｂコンテンツの中には受信機１が対応していないアプリケーションのインストールを促すＷｅｂコンテンツも含まれる。そこで、許可／不許可コンテンツリスト１１５では、所定のアプリケーションをインストールするＷｅｂコンテンツを、表示することを許可しないＷｅｂコンテンツとして規定することとしてもよい（図１５（Ｂ）に示す例では、「ＵＲＬ＿２９９」が該当する）。なお、所定のアプリケーションは、受信機１が対応していないアプリケーションに限ることとしてもよく、また、当該アプリケーション以外の他のアプリケーションを含むこととしてもよい。
【０１０５】
番組供給者は、チャンネル−Ｗｅｂコンテンツの対応関係を登録するところ、当該Ｗｅｂコンテンツを介して遷移可能な範囲をホワイトリスト又はブラックリスト形式で管理サーバ２に登録する。また、管理サーバ２の管理者は、所定のアプリケーションをインストールするＷｅｂコンテンツをブラックリスト形式で管理サーバ２に対して登録する。受信機１では、管理サーバ２に登録されたリスト情報を管理サーバ２から取得して、許可／不許可コンテンツリスト１１５として管理する。
【０１０６】
図１５（Ａ）に戻り、追加機能１５３では、制御部１５は、第１取得部１６１、第２取得部１６２、判定部１６７及び表示制御部１６４として機能する。
【０１０７】
第１取得部１６１は、管理サーバ２にアクセスして当該管理サーバ２から、放送番組と共に表示することを許可するＷｅｂコンテンツ又は表示することを許可しないＷｅｂコンテンツのリスト情報を取得し、記憶部１１に許可／不許可コンテンツリスト１１５として記憶する。
ここで、第１取得部１６１がリスト情報を取得するタイミングは任意であり、例えば、アプリケーション起動時であってもよく、また、チャンネル選択時であってもよい。第１取得部１６１は、アプリケーション起動時に取得する場合には複数のチャンネルに対して設定されたリスト情報を取得し、チャンネル選択時に取得する場合には選択された一のチャンネルを含むチャンネルに対して設定されたリスト情報を取得する。
【０１０８】
第２取得部１６２は、チャンネルが選択されると、ＵＲＬリスト１１３（図９（Ｂ）参照）に基づいて、当該チャンネルに対応付けられたＷｅｂコンテンツを取得する。また、第２取得部１６２は、ハイパーリンク等を介して他のＷｅｂコンテンツに遷移する場合に、遷移先の他のＷｅｂコンテンツを取得する。
【０１０９】
判定部１６７は、選択チャンネルに対応付けられたＷｅｂコンテンツを経由して取得されるＷｅｂコンテンツを表示するか否かを判定する。具体的には、判定部１６７は、許可／不許可コンテンツリスト１１５を参照して、取得したＷｅｂコンテンツが選択チャンネルに対応付けられたリスト情報に含まれるか否かに基づいて、当該Ｗｅｂコンテンツを表示するか否かを判定する。また、判定部１６７は、許可／不許可コンテンツリスト１１５を参照して、取得したＷｅｂコンテンツが禁止されたアプリケーションをインストールするＷｅｂコンテンツであるか否かに基づいて、当該Ｗｅｂコンテンツを表示するか否かを判定する。
【０１１０】
なお、上述のように判定部１６７は、Ｗｅｂコンテンツに含まれる広告についてのみ表示するか否かを判定することとしてもよい。ここで、広告についての判定は、広告に設定されたハイパーリンクが示すリンク先のＵＲＬに基づいて行われる。Ｗｅｂコンテンツを表示するか否かを判定する場合、当該Ｗｅｂコンテンツ自体のＵＲＬが許可／不許可コンテンツリスト１１５に含まれているか否かを判定すれば足りる。これに対して、広告を表示するか否かを判定する場合、当該広告を含むＷｅｂコンテンツのＵＲＬについては許可／不許可コンテンツリスト１１５に含まれていないことが想定される。そこで、判定部１６７は、当該広告を含むＷｅｂコンテンツのソースコードを解析し、当該広告のリンク先のＵＲＬが許可／不許可コンテンツリスト１１５に含まれているか否かを判定することで、Ｗｅｂコンテンツに含まれる広告を表示するか否かを判定する。
【０１１１】
表示制御部１６４は、複数のチャンネルのうちの選択チャンネルに対応する放送番組を第１領域１２１に表示し、判定部１６７により表示すると判定されたＷｅｂコンテンツを第２領域１２２に表示する。また、表示制御部１６４は、判定部１６７がＷｅｂコンテンツは表示すると判定する一方で、当該Ｗｅｂコンテンツに含まれる広告は表示しないと判定した場合、少なくとも当該広告は第２領域１２２に表示しない。
【０１１２】
［連携システムＳの処理］
以上、追加機能１５３を発揮する際の受信機１の構成について説明した。続いて、図１６を参照して、追加機能１５３を発揮する際の連携システムＳの処理について説明する。
図１６に示すように、追加機能１５３を発揮する場合、基本機能１５１の処理に加えステップＳ３１、ステップＳ３２の処理を更に含む。具体的には、受信機１においてアプリケーションが起動すると（ステップＳ２）、受信機１の第１取得部１６１は、管理サーバ２から各種情報を取得するところ（ステップＳ３）、追加機能１５３ではステップＳ３１に示すように、第１取得部１６１は、この際に放送番組と共に表示することを許可／不許可とするリスト情報も併せて管理サーバ２から取得し、記憶部１１の許可／不許可コンテンツリスト１１５に登録する。
【０１１３】
その後、受信機１では、放送番組及びＷｅｂコンテンツを取得し、表示部１２に表示する（ステップＳ５乃至ステップＳ７）。続いて、表示中のＷｅｂコンテンツにおいて他のＷｅｂコンテンツに遷移する場合（ステップＳ８）、続いて、ステップＳ３２において、判定部１６７は、遷移先のＷｅｂコンテンツと許可／不許可コンテンツリスト１１５とを比較することで、当該遷移先のＷｅｂコンテンツが表示可能なＷｅｂコンテンツであるか否かを判定する。この判定がＹＥＳのときは、処理をステップＳ６に移し、第２取得部１６２が遷移先のＷｅｂコンテンツを取得する。他方、この判定がＮＯのときは、遷移先のＷｅｂコンテンツを表示することなく、処理をステップＳ９に移し、基本機能１５１と同様の処理を行う。
【０１１４】
［追加機能１５３に伴う効果］
以上、制御部１５の追加機能１５３について説明した。追加機能１５３が発揮されることで、第２領域１２２においてＷｅｂコンテンツが遷移した場合に、遷移後のＷｅｂコンテンツを表示するか否か判定し、表示すると判定された場合に限り当該Ｗｅｂコンテンツを第２領域１２２に表示する。これにより、第１領域１２１に表示されている放送番組との関係で好ましくないＷｅｂコンテンツを第２領域１２２に表示してしまうことを防止できる。その結果、放送番組と関連するＷｅｂコンテンツのみを第２領域１２２に表示できるため、放送と通信とを適切に連携することができる。
【０１１５】
一例として、放送番組のスポンサーと競業する企業に関するＷｅｂコンテンツの表示を制限することで、放送番組を提供する番組供給者の利益を守ることができ、連携サービスに対する番組供給者の積極的な参加が期待できる。また、フィッシングサイト等のような好ましくないサイトや、不要なアプリケーションをインストールするサイトの表示を制限することで、ユーザが安心して利用できる連携サービスを提供することができ、好適である。
【０１１６】
なお、追加機能１５３において、判定部１６７は、第２取得部１６２が取得したＷｅｂコンテンツを表示するか否かを判定することとしているが、第２取得部１６２がＷｅｂコンテンツを取得するか否かを、許可／不許可コンテンツリスト１１５に基づいて判定することとしてもよい。即ち、放送番組との関係で好ましくないＷｅｂコンテンツは、受信機１において表示しないだけでなく、そもそも取得自体しないこととしてもよい。
【０１１７】
［追加機能１５４の詳細］
続いて、制御部１５が上述のアプリケーションプログラムに従い発揮する追加機能１５４の詳細について説明する。第２領域１２２には、番組供給者が提供するＷｅｂコンテンツが表示される。Ｗｅｂコンテンツの表示では、通常、リクエストを行ってからＷｅｂコンテンツを表示するまでに一定の時間が必要になるため、Ｗｅｂコンテンツの表示が放送番組に対して遅延してしまうと、放送番組とＷｅｂコンテンツとの統一感が損なわれてしまう。そこで、追加機能１５４では、Ｗｅｂコンテンツを予め先読みすることで、統一感が損なわれることを防止する。
以下、追加機能１５４を発揮するための構成の詳細について説明する。
【０１１８】
図１７は、制御部１５が追加機能１５４を発揮する際の制御部１５及び記憶部１１の機能構成図である。図１７に示すように、追加機能１５４では、記憶部１１は、履歴リスト１１６を含んで構成される。
履歴リスト１１６は、受信機１における放送番組の視聴履歴及びＷｅｂコンテンツの閲覧履歴を記憶する。ここで、放送番組の視聴履歴とは、例えば、チャンネル毎に当該チャンネルに対応する放送番組を視聴していた時間である。このような視聴履歴としては、連携サービスが提供されている状況での視聴時間であってもよく、また、連携サービスとは関係なく視聴していた時間であってもよい。なお、履歴リスト１１６では、連携サービスが提供されている状況での視聴時間と、連携サービスとは関係なく視聴していた時間とを夫々判別可能に記憶することが好ましい。また、履歴リスト１１６は、チャンネル毎に当該チャンネルに対応する放送番組と共に閲覧していたＷｅｂコンテンツに対する操作内容を閲覧履歴として記憶する。
【０１１９】
また、追加機能１５４では、制御部１５は、先読部１６８、決定部１６９及び表示制御部１６４として機能する。
先読部１６８は、一又は複数の任意のチャンネルに応じた放送番組に対応する一又は複数のＷｅｂコンテンツに関連する関連データを、Ｗｅｂコンテンツの取得要求を受け付ける前に予め取得する。ここで、先読部１６８が取得する関連データは、Ｗｅｂコンテンツの所在を示す所在情報（ＵＲＬ）であってもよく、また、Ｗｅｂコンテンツ自体であってもよい。ＷｅｂコンテンツのＵＲＬを先読みする場合、先読部１６８は、管理サーバ２にアクセスして当該ＵＲＬを取得する。また、Ｗｅｂコンテンツ自体を先読みする場合、先読部１６８は、コンテンツサーバ４にアクセスして当該Ｗｅｂコンテンツを取得する。
【０１２０】
また、Ｗｅｂコンテンツの取得要求を受け付ける前とは、例えば、当該Ｗｅｂコンテンツが対応付けられたチャンネルが選択される前であってもよく、また、当該Ｗｅｂコンテンツに遷移するためのハイパーリンク等が選択される前であってもよい。
【０１２１】
また、一又は複数の任意のチャンネルとは、受信機１において利用可能なチャンネルのうちの少なくとも一以上のチャンネルであり、利用可能なチャンネルのうちの一のチャンネルのみであってもよく、また、複数のチャンネルであってもよく、利用可能なチャンネルの全てであってもよい。この点、本実施形態では、決定部１６９が、利用可能なチャンネルの中から先読みする対象となる一又は複数のチャンネルを決定することとしている。
【０１２２】
具体的には、決定部１６９は、履歴リスト１１６に記憶されている視聴履歴に基づいて、関連データを予め取得する一又は複数のチャンネルを決定する。一例として、決定部１６９は、選択された回数や視聴時間の長さに基づいて夫々のチャンネルを評価（選択された回数が多いチャンネルや視聴時間が長いチャンネルほど高く評価）し、この評価に基づいて一又は複数のチャンネルを決定する。なお、ユーザの視聴傾向は、チャンネルではなく放送番組に関係するとも考えられるため、決定部１６９は、放送番組毎に（即ち、時間帯毎に）評価を行うこととしてもよい。
【０１２３】
なお、決定部１６９は、上述の評価に際して所定の重み付けを行うこととしてもよい。重み付けとしては、例えば、直近の履歴を重視するといった方法の他、アプリケーションの起動の有無、及び／又はＷｅｂコンテンツに対する操作情報に基づいて行うこととしてもよい。アプリケーションの起動の有無に応じた重み付けとは、例えば、連携サービスが提供されている状況で視聴された放送番組を、連携サービスとは関係なく視聴された放送番組よりも重視することをいう。また、Ｗｅｂコンテンツに対する操作情報に基づく重み付けとは、例えば、共に表示されるＷｅｂコンテンツに対する操作が多い放送番組ほど重視することをいう。
【０１２４】
また、決定部１６９は、現在視聴中の放送番組の後に、同チャンネルで開始する放送番組に関連する関連データを先読み対象の関連データとして決定することとしてもよい。なお、同チャンネルで開始する放送番組としては、直後に開始する一の放送番組であってもよく、現在視聴中の放送番組の後に開始する複数の放送番組（例えば、３時間先まで等）であってもよい。また、先読みする範囲を、履歴リスト１１６に記憶されている視聴履歴に基づいて決定することとしてもよい。具体的には、現在視聴中のチャンネルがよく視聴されるチャンネルである場合には、先読みする範囲を長くし（例えば、３時間先までの複数の放送番組を先読み対象とする）、現在視聴中のチャンネルがあまり視聴されないチャンネルである場合には、先読みする範囲を短くする（例えば、直後の一の放送番組のみ先読み対象とする）こととしてもよい。
【０１２５】
表示制御部１６４は、放送番組の複数のチャンネルのうち選択されたチャンネル番号を示す選択チャンネルを受け付けると、選択チャンネルに応じた放送番組を表示部１２の第１領域１２１に表示し、当該放送番組に対応付けられたＷｅｂコンテンツを第２領域１２２に表示する。このとき、表示制御部１６４は、Ｗｅｂコンテンツを表示するための関連データを予め取得していた場合には、当該関連データに基づいてＷｅｂコンテンツの表示を行う。
【０１２６】
以上、追加機能１５４について説明した。なお、先読部１６８が先読みする対象は、ユーザが視聴する可能性の高い放送番組に対応するＷｅｂコンテンツに限るものではない。図１８に示すように、放送番組に対応するＷｅｂコンテンツには、タブ２０２が含まれ、複数のＷｅｂコンテンツが切り替え可能になっている。先読部１６８は、タブ２０２のうちの一のタブに応じたＷｅｂコンテンツを表示中に、当該Ｗｅｂコンテンツと同一の放送番組に対応付けられた他のタブに応じたＷｅｂコンテンツの関連データを予め取得することとしてもよい。
また、Ｗｅｂコンテンツには、ハイパーリンク２５１が設定されていることがあり、このハイパーリンク２５１を介して他のＷｅｂコンテンツに遷移することができる。そこで、先読部１６８は、第２領域１２２に表示中のＷｅｂコンテンツを経由して取得されるＷｅｂコンテンツの関連データを予め取得することとしてもよい。
【０１２７】
［追加機能１５４に伴う効果］
以上説明した追加機能１５４が発揮されることで、受信機１の先読部１６８は、放送番組に関連するＷｅｂコンテンツを、放送番組の選択（チャンネルの選択）前に予め取得することになる。これにより、受信機１では、Ｗｅｂコンテンツを早期に取得することができるため、ネットワークを介する場合に生じる遅延を軽減することができ、放送と通信とを適切に連携することができる。
【０１２８】
このとき、受信機１のユーザの視聴履歴に基づき予めＷｅｂコンテンツを取得する放送番組（チャンネル）を決定することで、ユーザが選択するであろう放送番組（チャンネル）に応じたＷｅｂコンテンツを早期に取得することができ、好適である。
また、一の放送番組に対応付けてメインページの他に複数のＷｅｂコンテンツを設けている場合に、メインページ表示中にその他のＷｅｂコンテンツを予め取得しておくことで、メインページからその他のＷｅｂコンテンツに切り替えたとしても直ぐに対応するＷｅｂコンテンツを表示することができる。
【０１２９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【０１３０】
例えば、上記実施形態では、第１取得部１６１は、アプリケーションの起動時やチャンネルの選択時に、管理サーバ２から各種情報（初期チャンネル、対応関係、利用可能チャンネル等）を取得することとしているが、取得タイミングはこれに限られるものではなく、任意のタイミングで管理サーバ２から当該情報を取得することとしてもよい。任意のタイミングとしては、アプリケーション起動中に限るものではなく、アプリケーションが起動していない状態であっても管理サーバ２から各種情報を取得することとしてもよい。
また、第１取得部１６１は、夫々の情報を同時に取得することとしてもよく、また、異なるタイミングで取得することとしてもよい。
【符号の説明】
【０１３１】
１・・・受信機
１１・・・記憶部
１１１・・・利用可能ＣＨリスト
１１２・・・初期ＣＨリスト
１１３・・・ＵＲＬリスト
１１４・・・サイズ変更コンテンツリスト
１１５・・・許可／不許可コンテンツリスト
１１６・・・履歴リスト
１２・・・表示部
１３・・・操作部
１４・・・通信部
１５・・・制御部
１５１・・・基本機能
１５２・・・調整機能
１５３，１５４・・・追加機能
１６１・・・第１取得部
１６２・・・第２取得部
１６３・・・受付部
１６４・・・表示制御部
１６５・・・検出部
１６６・・・領域設定部
１６７・・・判定部
１６８・・・先読部
１６９・・・決定部
２・・・管理サーバ
３・・・配信サーバ
４・・・コンテンツサーバ
【図１】
0006514897.tif 000002
【図２】
0006514897.tif 000003
【図３】
0006514897.tif 000004
【図４】
0006514897.tif 000005
【図５】
0006514897.tif 000006
【図６】
0006514897.tif 000007
【図７】
0006514897.tif 000008
【図８】
0006514897.tif 000009
【図９】
0006514897.tif 000010
【図１０】
0006514897.tif 000011
【図１１】
0006514897.tif 000012
【図１２】
0006514897.tif 000013
【図１３】
0006514897.tif 000014
【図１４】
0006514897.tif 000015
【図１５】
0006514897.tif 000016
【図１６】
0006514897.tif 000017
【図１７】
0006514897.tif 000018
【図１８】
0006514897.tif 000019